Podtech/llm-jp-corpus-v4-ja_patent huggingface dataset:
【誤訳訂正書】
【提出日】平成29年5月10日(2017.5.10)
【誤訳訂正１】
【訂正対象書類名】明細書
【訂正対象項目名】００２５
【訂正方法】変更
【訂正の内容】
【００２５】
本発明の主題は、メタノールと式Ｒ−ＣＨ２−ＣＨ２ＯＨの第２のアルコールとの混合物を含有する原料から式ＣＨ２＝Ｃ（Ｒ）−ＣＨＯ（式中、ＲはＨまたはＣＨ３をあらわす。）の不飽和アルデヒドを直接合成するための方法であって、この方法が、２００℃から４００℃の温度、１ｂａｒから１０ｂａｒの絶対圧で、モリブデン系触媒から選択される固体の選択的酸化触媒、および場合により固体アルドール縮合触媒を含有する気相中で操作される反応系に、２種類のアルコールの混合物を含有する原料を、前記アルコールの混合物および酸素が、それぞれ、反応混合物の合計体積の最大で１０％となるように、酸素および非反応性希釈気体と共に導入することと、次いで、反応系の出口で、反応によって一緒に生成する水存在下、生成した不飽和アルデヒドを含む気体状流出物を回収することとからなる方法である。
【誤訳訂正２】
【訂正対象書類名】特許請求の範囲
【訂正対象項目名】全文
【訂正方法】変更
【訂正の内容】
【特許請求の範囲】
【請求項１】
メタノールと式Ｒ−ＣＨ２−ＣＨ２ＯＨの第２のアルコールとの混合物を含有する原料から式ＣＨ２＝Ｃ（Ｒ）−ＣＨＯ（式中、ＲはＨまたはＣＨ３をあらわす。）の不飽和アルデヒドを直接合成するための方法であって、２００℃から４００℃の温度、１ｂａｒから１０ｂａｒの絶対圧の気相中で操作され、モリブデン系触媒から選択される固体の選択的酸化触媒、および場合により固体アルドール縮合触媒を含有する反応系に、２種類のアルコールの混合物を含有する原料を、前記アルコールの混合物および酸素が、それぞれ、反応混合物の合計体積の最大で１０％となるように、酸素および非反応性希釈気体と共に導入することと、次いで、反応系の出口で、反応によって一緒に生成する水の存在下、生成した不飽和アルデヒドを含む気体状流出物を回収することとからなる、方法。
【請求項２】
酸化触媒は、以下の一般式：
Ａａ  Ｘｂ  Ｍｏｃ  Ｚｄ  Ｏｅ    （Ｉ）
によってあらわされ、式中、
Ａは、元素の周期律表の１族から１６族の元素およびランタニドから選択される少なくとも１つのカチオンであり、
Ｘは、ＰまたはＳｉであり、
Ｚは、Ｗ、Ｔｉ、Ｚｒ、Ｖ、Ｎｂ、Ｔａ、Ｃｒ、Ｍｎ、Ｆｅ、Ｃｏ、Ｎｉ、Ｃｕ、Ｚｎ、Ｇａ、Ｉｎ、Ｔｌ、Ｓｎ、Ａｇ、Ａｓ、Ｇｅ、Ｂ、Ｂｉ、Ｌａ、Ｂａ、Ｓｂ、Ｔｅ、ＣｅおよびＰｂからなる群から選択される少なくとも１つの元素であり、
Ｏは、酸素であり、
ａ、ｂ、ｃおよびｄは、以下
０≦ａ≦９、
０≦ｂ≦２、
０＜ｃ≦１２、
０≦ｄ≦１２、
の範囲に対応し、ａ＋ｂ＋ｄ＞０になるような整数または小数からなる指数であり、
ｅは、元素の合計酸化度によって決定される数である、
請求項１に記載の方法。
【請求項３】
一般式（Ｉ）のＡが、少なくとも１つのアルカリ金属である、請求項２に記載の方法。
【請求項４】
一般式（Ｉ）のＸが、Ｐである、請求項２または３に記載の方法。
【請求項５】
触媒は、一般式（Ｉ）に対応するモリブデン酸鉄であり、指数ａおよびｂの値は０であり、指数ｄの値は０ではない、請求項１または２に記載の方法。
【請求項６】
縮合触媒は、
シリカまたはアルミナ支持材の上に堆積させたアルカリ金属水酸化物ＬｉＯＨ、ＮａＯＨ、ＫＯＨ、ＣｓＯＨ；
シリカ、アルミナ、マグネシア、炭素または炭酸カリウムの上に堆積させたアルカリ金属およびアルカリ土類金属；
アルミナの上に堆積させた窒素含有化合物ＮＨ３、ＫＮＨ２；
シリカの上に堆積させたＬｉＣＯ３；ならびに
ゾノトライトの上に堆積させたｔ−ＢｕＯＫから成る群より選択される「担持された塩基」である、請求項１から５のいずれか一項に記載の方法。
【請求項７】
縮合触媒は、シリカの上またはアルミノケイ酸塩の上に堆積させたケイ酸ナトリウムから選択され、前記アルミノケイ酸塩は、１０より大きいＳｉ／Ａｌ原子比を有し、ならびに適切な場合、金属促進剤、および、ジルコニウム化合物とグラフト接合したシリカの上またはジルコニウム化合物によってドープされたシリカの上に堆積させたセシウムを含む、請求項６に記載の方法。
【請求項８】
縮合触媒は、（ｉ）ＳｉＯ２−ＭｇＯ、ＳｉＯ２−ＣａＯ、ＳｉＯ２−ＳｒＯ、ＳｉＯ２−ＢａＯ、ＳｉＯ２−ＳｎＯ、ＳｉＯ２−ＺｎＯ、ＳｉＯ２−Ａｌ２Ｏ３、ＳｉＯ２−ＴｈＯ２、ＳｉＯ２−ＴｉＯ２、ＳｉＯ２−ＺｒＯ２、ＳｉＯ２−ＭｏＯ３、ＳｉＯ２−ＷＯ３、Ａｌ２Ｏ３−ＭｇＯ、Ａｌ２Ｏ３−ＴｈＯ２、Ａｌ２Ｏ３−ＴｉＯ２、Ａｌ２Ｏ３−ＺｒＯ２、Ａｌ２Ｏ３−ＭｏＯ３、Ａｌ２Ｏ３−ＷＯ３、ＺｒＯ２−ＺｎＯ、ＺｒＯ２−ＴｉＯ２、ＴｉＯ２−ＭｇＯ、ＺｒＯ２−ＳｎＯ２、（ｉｉ）場合により、アルカリ金属がドープされ、金属もドープされた、クレイ型酸化物、（ｉｉｉ）アルカリ土類金属がドープされた希土類金属酸化物、（ｉｖ）混合したコバルトおよびアルミニウムのリン酸塩型の混合酸化物、（ｖ）Ｎａ、Ｋ、Ｃｓ、Ｃｄ、Ｍｇ、Ｃａ、Ｓｒ、Ｍｎ、Ｚｎ、Ｍｏ、Ｎｂ、Ｐｂおよび／またはＳｉの塩がドープされたシリカ−アルミナ、（ｖｉ）ＭｇＯ−アルミナ、ＭｇＯ−ＳｉＯ２、（ｖｉｉ）リン酸塩、タングステン酸塩またはモリブデン酸塩の形態の希土類金属、（ｖｉｉｉ）バナジウム−アルミニウム、リン−ジルコニウム、リン−アルミニウム、バナジウム−アルミニウム−リンまたはガリウム−アルミニウム−リンの混合酸窒化物から選択されるリン誘導体の酸窒化物、から選択される「混合酸化物」から選択される、請求項１から５のいずれか一項に記載の方法。
【請求項９】
２５０℃から３５０℃の温度、１ｂａｒから５ｂａｒの絶対圧、で行われる、請求項１から８のいずれか一項に記載の方法。
【請求項１０】
反応系へのアルコール混合物の導入速度が、反応媒体中のアルコール総含有量が、体積によって表すと４％から１０％であるような速度である、請求項１から９のいずれか一項に記載の方法。
【請求項１１】
メタノールとエタノール、またはメタノールとプロパノールのアルコール混合物は、それぞれ、メタノール／エタノールおよびメタノール／プロパノールのモル比が、０．８から２となるものである、請求項１から１０のいずれか一項に記載の方法。
【請求項１２】
反応が、２０００ｈ−１から４００００ｈ−１のＨＳＶで行われる、請求項１から１１のいずれか一項に記載の方法。
【請求項１３】
単独のモリブデン系酸化触媒または場合によりモリブデン系酸化触媒と縮合触媒の物理的な混合物からなる触媒床を含む単一の反応器で反応が行われる、請求項１から１２のいずれか一項に記載の方法。
【請求項１４】
反応系が、モリブデン系酸化触媒および固体アルドール縮合触媒の両方を含有することを特徴とする、請求項１から１２のいずれか一項に記載の方法。
【請求項１５】
２つの重ね合わされた触媒床を含む単一の反応器で反応が行われ、酸化触媒床が上流に配置される、請求項１４に記載の方法。
【請求項１６】
反応系が２個の反応器を含み、第１の反応器が、２種類のアルコールを同時に酸化させるように働き、第２の反応器が、第１の反応器からの出口流出液に含まれる２種類のアルデヒドの交差縮合のためと、生成したアルドールの脱水のために働く、請求項１４に記載の方法。
【誤訳訂正書】
【提出日】平成29年10月19日(2017.10.19)
【誤訳訂正１】
【訂正対象書類名】特許請求の範囲
【訂正対象項目名】全文
【訂正方法】変更
【訂正の内容】
【特許請求の範囲】
【請求項１】
水性コーティング組成物であって、
０．６０〜０．９９μｍの平均直径を有する多段屈折率分布型（ｇｒｉｎ）組成物コポリマー粒子、０．６０〜０．９９μｍの平均直径を有し、かつ理論ガラス転移温度（Ｔｇ）が２０℃またはそれ以下のゴム状コアを有する多段コポリマー粒子、およびそれらの混合物からなる群から選択される第１固体ポリマー粒子と、
−６０℃〜１２０℃の理論Ｔｇと５０ｎｍ〜５００ｎｍの平均粒子直径を有する第２固体ポリマー粒子とを含み、
前記第１固体ポリマー粒子の前記第２固体ポリマー粒子に対する乾燥重量比が０．１５：１〜１０：１であり、そして前記水性コーティング組成物が１０体積％未満の無機エキステンダー粒子を含む、
水性コーティング組成物。
【請求項２】
前記第１固体ポリマー粒子が、アクリル多段コポリマー粒子、ビニル多段コポリマー粒子、多段合成ゴムコポリマー粒子、多段ウレタンコポリマー粒子、水分散性グラフトコポリマー粒子、それらの混合物、それらの組み合わせ、および単段架橋（コ）ポリマーとのそれらの混合物からなる群から選択される、請求項１に記載の水性コーティング組成物。
【請求項３】
前記第１固体ポリマー粒子および前記第２固体ポリマー粒子がアクリルポリマーである、請求項１に記載の水性コーティング組成物。
【請求項４】
前記第２固体ポリマー粒子が２段アクリルエマルジョンコポリマー粒子である、請求項３に記載の水性コーティング組成物。
【請求項５】
顔料粒子をさらに含む、請求項１に記載の水性コーティング組成物。
【請求項６】
コーティングを提供するための方法であって、
（ａ）請求項１に記載の前記水性コーティング組成物を形成し、
（ｂ）前記コーティング組成物を基体に施用し、そして
（ｃ）前記コーティング組成物を乾燥するか、または乾燥させること
を含む、方法。
【請求項７】
８５°鏡面光沢度の２０°鏡面光沢度に対する比が３３以上である、請求項６に記載の方法によって形成されるコーティング。
【請求項８】
顔料粒子をさらに含む、請求項７に記載のコーティング。
【請求項９】
前記コーティングがその臨界顔料体積濃度以下である、請求項８に記載のコーティング。
【誤訳訂正２】
【訂正対象書類名】明細書
【訂正対象項目名】０００１
【訂正方法】変更
【訂正の内容】
【０００１】
本発明は、水性コーティング組成物、それからコーティングを提供するための方法、および特定の光沢プロフィールを有する透明または着色ポリマーコーティングに関する。特に、本発明は、０．６０〜０．９９μｍの平均直径を有する多段屈折率分布型（ｇｒａｄｅｄ  ｒｅｆｒａｃｔｉｖｅ  ｉｎｄｅｘ）（ｇｒｉｎ）組成物コポリマー粒子、０．６０〜０．９９μｍの平均直径を有し、かつ理論ガラス転移温度（Ｔｇ）が２０℃またはそれ以下のゴム状コアを有する多段コポリマー粒子、およびそれらの混合物からなる群から選択される第１固体ポリマー粒子と、−６０℃〜１２０℃の理論Ｔｇおよび５０ｎｍ〜５００ｎｍの平均粒子直径を有する第２固体ポリマー粒子とを含む水性コーティング組成物であって、第１固体ポリマー粒子の第２固体ポリマー粒子に対する乾燥重量比が０．１５：１〜１０：１である水性コーティング組成物に関し、この水性コーティング組成物は１０体積％未満の無機エキステンダー粒子を含む。
【誤訳訂正３】
【訂正対象書類名】明細書
【訂正対象項目名】０００５
【訂正方法】変更
【訂正の内容】
【０００５】
本発明の第１の態様において、０．６０〜０．９９μｍの平均直径を有する多段屈折率分布型（ｇｒｉｎ）組成物コポリマー粒子；０．６０〜０．９９μｍの平均直径を有し、かつ理論ガラス転移温度（Ｔｇ）が２０℃またはそれ以下のゴム状コアを有する多段コポリマー粒子；およびそれらの混合物からなる群から選択される第１固体ポリマー粒子と、−６０℃〜１００℃の理論Ｔｇおよび５０ｎｍ〜５００ｎｍの平均粒子直径を有する第２固体ポリマー粒子とを含む水性コーティング組成物であって、前記第１固体ポリマー粒子の前記第２固体ポリマー粒子に対する乾燥重量比が０．１５：１〜１０：１であり、そして前記水性コーティング組成物が１０体積％未満の無機エキステンダー粒子を含む、水性コーティング組成物が提供される。
【誤訳訂正４】
【訂正対象書類名】明細書
【訂正対象項目名】０００９
【訂正方法】変更
【訂正の内容】
【０００９】
本発明の水性コーティング組成物は、０．６０〜０．９９μｍの平均直径を有する多段屈折率分布型（ｇｒｉｎ）組成物コポリマー粒子；０．６０〜０．９９μｍの平均直径を有し、かつ理論ガラス転移温度（Ｔｇ）が２０℃またはそれ以下のゴム状コアを有する多段コポリマー粒子；およびそれらの混合物からなる群から選択される第１固体ポリマー粒子を含む。本明細書において「水性」によって、組成物の連続相が主に水、好ましくは７０重量％を超える水であり、連続相の任意の他の成分が水溶性溶媒、オリゴマー、ポリマー、およびその他であることを意味する。
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
収容箱を移動するための荷物搬送モジュールと、
荷物を前記収容箱に収容する時に荷物情報を入力して荷物保管データを形成するための情報入力モジュールと、
前記荷物保管データを記憶するためのデータ記憶モジュールと、
抽出する必要のある荷物情報によって、前記荷物保管データを検索して検索結果を伝動制御モジュールに送信するためのデータ検索モジュールと、
前記検索結果によって、前記荷物搬送モジュールを動作させるように制御して、抽出する必要のある荷物が位置する収容箱をピッキング口まで搬送させるための伝動制御モジュールと、を含み、
前記荷物搬送モジュールは、棚と、前記棚に支持された若干数の前記収容箱と、前記棚を循環移動するように前記収容箱を押すための収容箱駆動装置とを含み、
前記収容箱駆動装置は、それに接触する一つの収容箱を移動するように押し、前記収容箱の移動によりその前方の一つの収容箱を移動するように押し、これによって、前記収容箱全体が棚を循環移動させることを特徴とする自動倉庫制御システム。
【請求項２】
前記収容箱の移動は段階的であり、各ステップの移動歩幅が一つの収容箱スペースであることを特徴とする請求項１に記載の自動倉庫制御システム。
【請求項３】
前記情報入力モジュールは、バーコード走査装置またはＲＦＩＤタグ走査装置を含むことを特徴とする請求項１に記載の自動倉庫制御システム。
【請求項４】
前記各収容箱は一つの唯一番号を有し、
前記荷物保管データは、前記荷物情報と前記収容箱の番号との対応関係を含むことを特徴とする請求項１に記載の自動倉庫制御システム。
【請求項５】
前記伝動制御モジュールは、スイッチを含み、前記スイッチがオンのとき、前記収容箱駆動装置が動作し、前記収容箱の移動を押すように構成されていることを特徴とする請求項１に記載の自動倉庫制御システム。
【請求項６】
前記伝動制御モジュールが動作する具体的な過程は、
前記検索結果によって、ピッキングすべき荷物が位置するピッキングすべき収容箱の番号と、現在前記ピッキングすべき収容箱から前記ピッキング口までの距離とを判定し、
前記距離によって、前記ピッキングすべき収容箱が前記ピッキング口まで移動する特定時間または特定移動ステップ数を判定し、
前記スイッチをオンし、前記特定時間または前記特定移動ステップ数が経過した後、前記スイッチをオフすることを特徴とする請求項５に記載の自動倉庫制御システム。
【請求項７】
前記自動倉庫は複数の棚を備え、
前記伝動制御モジュールは、前記棚に対応する複数のスイッチを含むことを特徴とする請求項１〜６の何れか一項に記載の自動倉庫制御システム。
【請求項８】
荷物を若干数の収容箱に収容する時に、荷物情報を入力し、荷物保管データを形成するステップａと、
前記荷物保管データを記憶するステップｂと、
抽出する必要のある荷物情報によって、前記荷物保管データを検索するステップｃと、
前記検索結果によって、抽出する必要のある荷物が位置する収容箱をピッキング口まで搬送し、ここでは、それに接触する一つの収容箱の移動によりその前方の一つの収容箱を移動するように押すことで、前記若干数の収容箱が循環移動して、抽出する必要のある荷物が位置する前記収容箱をピッキング口まで移動するステップｄと、
を含むことを特徴とする自動倉庫制御方法。
【請求項９】
前記自動倉庫は、棚と、前記棚に支持された若干数の前記収容箱と、前記棚を循環移動するように前記収容箱を押すための収容箱駆動装置とを備え、前記収容箱の移動は段階的であり、各ステップの移動歩幅が一つの収容箱スペースであることを特徴とする請求項８に記載の自動倉庫制御方法。
【請求項１０】
前記ステップｄは、さらに、
前記検索結果によって、ピッキングすべき荷物が位置するピッキングすべき収容箱の番号と、現在前記ピッキングすべき収容箱から前記ピッキング口までの距離とを判定するステップと、
前記距離によって、前記ピッキングすべき収容箱が前記ピッキング口まで移動する特定時間または特定移動ステップ数を判定するステップと、
前記収容箱駆動装置をオンし、前記特定時間または前記特定移動ステップ数が経過した後、前記収容箱駆動装置をオフするステップと
含むことを特徴とする請求項９に記載の自動倉庫制御方法。
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
速度、変位、及び加速度以外の生理的パラメータに関する、時間の関数としての体運動以外の生理的パラメータ信号を生成するセンサと、
前記体運動以外の生理的パラメータ信号から、時間の関数としての体運動アーチファクト（ＢＭＡ）信号を計算する演算、及び
前記ＢＭＡ信号から、時間の関数としてのアクティグラフィ信号を計算する演算
を含む演算を実行する電子的ディジタル信号処理（ＤＳＰ）装置と
を備える、生理的モニタリング装置。
【請求項２】
前記センサが心電図記録（ＥＣＧ）センサを含み、前記生理的パラメータが、（ｉ）少なくとも１つのＥＣＧトレース及び（ｉｉ）心拍数のうちの１つ又は複数を含む、請求項１に記載の生理的モニタリング装置。
【請求項３】
前記センサが呼吸センサを含み、前記生理的パラメータが呼吸数を含む、請求項１又は２に記載の生理的モニタリング装置。
【請求項４】
前記センサが、呼吸インダクティブ・プレチスモグラフィ（ＲＩＰ）センサを含む、請求項１又は２に記載の生理的モニタリング装置。
【請求項５】
前記体運動以外の生理的パラメータ信号から、時間の関数としてのＢＭＡ信号を計算する前記演算が、前記体運動以外の生理的パラメータ信号から局所信号電力信号を計算することを含む、請求項１乃至４のいずれか一項に記載の生理的モニタリング装置。
【請求項６】
前記体運動以外の生理的パラメータ信号から、時間の関数としてのＢＭＡ信号を計算する前記演算が、前記体運動以外の生理的パラメータ信号から局所信号分散信号を計算することを含む、請求項１乃至４のいずれか一項に記載の生理的モニタリング装置。
【請求項７】
前記体運動以外の生理的パラメータ信号から、時間の関数としてのＢＭＡ信号を計算する前記演算が、前記体運動以外の生理的パラメータ信号から短時間フーリエ変換（ＳＴＦＴ）信号を計算することを含む、請求項１乃至４のいずれか一項に記載の生理的モニタリング装置。
【請求項８】
前記体運動以外の生理的パラメータ信号から、時間の関数としてのＢＭＡ信号を計算する前記演算が、前記体運動以外の生理的パラメータ信号からウェーブレット変換信号を計算することを含む、請求項１乃至４のいずれか一項に記載の生理的モニタリング装置。
【請求項９】
前記体運動以外の生理的パラメータ信号から、時間の関数としてのＢＭＡ信号を計算する前記演算が、前記体運動以外の生理的パラメータ信号の連続する時間窓のそれぞれの時間窓に対してＢＭＡ信号サンプルを計算することを含む、請求項１乃至８のいずれか一項に記載の生理的モニタリング装置。
【請求項１０】
前記連続する時間窓が、重なりのある連続するハミング時間窓である、請求項９に記載の生理的モニタリング装置。
【請求項１１】
前記ＢＭＡ信号から、時間の関数としてのアクティグラフィ信号を計算する前記演算が、前記ＢＭＡ信号に線形変換を適用することを含む、請求項１乃至１０のいずれか一項に記載の生理的モニタリング装置。
【請求項１２】
前記ＤＳＰ装置が、
中央値除去フィルタを使用して前記アクティグラフィ信号をフィルタリングする演算
を含むさらなる演算を実行する、請求項１乃至１１のいずれか一項に記載の生理的モニタリング装置。
【請求項１３】
前記ＤＳＰ装置が、
高域フィルタを使用して前記アクティグラフィ信号をフィルタリングする演算
を含むさらなる演算を実行する、請求項１乃至１２のいずれか一項に記載の生理的モニタリング装置。
【請求項１４】
生理的モニタリング方法を実行するための、電子的データ処理装置によって読取り及び実行が可能な命令を記憶した非一時的記憶媒体であって、前記生理的モニタリング方法が、
変位、加速度、及び速度以外の生理的パラメータに関する、時間の関数としての体運動以外の生理的パラメータ信号から、局所信号電力信号、局所信号分散信号、短時間フーリエ変換（ＳＴＦＴ）信号、及びウェーブレット変換信号のうちの１つを含む、時間の関数としての体運動アーチファクト（ＢＭＡ）信号を計算し、ＢＭＡ信号サンプルが、連続する時間窓のそれぞれの時間窓に対して計算されること、及び
前記ＢＭＡ信号から、時間の関数としてのアクティグラフィ信号を計算すること
を含む、非一時的記憶媒体。
【請求項１５】
心拍数信号、少なくとも１つのＥＣＧトレース信号、及び呼吸数信号のうちの少なくとも１つを含む、時間の関数としての体運動以外の生理的パラメータ信号を生成する、心電図記録（ＥＣＧ）センサ及び呼吸センサのうちの少なくとも１つと、
前記体運動以外の生理的パラメータ信号から、時間の関数としての体運動アーチファクト（ＢＭＡ）信号を計算し、
前記ＢＭＡ信号に線形変換を適用し、
線形変換が適用された前記ＢＭＡ信号から、時間の関数としてのアクティグラフィ信号を計算する
ようにプログラムされた少なくとも１つのプロセッサと
を備える、生理的モニタリング装置。
【請求項１６】
前記少なくとも１つのプロセッサが、
前記体運動以外の生理的パラメータ信号から、局所信号分散信号を計算すること、
前記体運動以外の生理的パラメータ信号から、短時間フーリエ変換（ＳＴＦＴ）信号を計算すること、及び
前記体運動以外の生理的パラメータ信号から、ウェーブレット変換信号を計算すること
のうちの１つによって、前記体運動以外の生理的パラメータ信号から、時間の関数としての前記ＢＭＡ信号を計算するようにプログラムされる、請求項１５に記載の生理的モニタリング装置。
【請求項１７】
前記少なくとも１つのプロセッサが、
前記体運動以外の生理的パラメータ信号の連続する時間窓のそれぞれの時間窓に対してＢＭＡ信号サンプルを計算すること
によって、前記体運動以外の生理的パラメータ信号から、時間の関数としての前記ＢＭＡ信号を計算するようにプログラムされる、請求項１５又は１６に記載の生理的モニタリング装置。
【請求項１８】
前記体運動以外の生理的パラメータ信号から、時間の関数としての前記ＢＭＡ信号を計算することの演算が、
前記体運動以外の生理的パラメータ信号から、局所信号分散信号を計算すること、
前記体運動以外の生理的パラメータ信号から、短時間フーリエ変換（ＳＴＦＴ）信号を計算すること、及び
前記体運動以外の生理的パラメータ信号から、ウェーブレット変換信号を計算すること
のうちの１つを含む、請求項１４に記載の非一時的記憶媒体。
【請求項１９】
前記体運動以外の生理的パラメータ信号から、時間の関数としての前記ＢＭＡ信号を計算することの演算が、前記体運動以外の生理的パラメータ信号の連続する時間窓のそれぞれの時間窓に対してＢＭＡ信号サンプルを計算することを含む、請求項１４又は１８に記載の非一時的記憶媒体。
【請求項２０】
前記命令が、
中央値除去フィルタ又は高域フィルタを使用して前記アクティグラフィ信号をフィルタリングすること
をさらに含み、前記フィルタリングすることの演算は前記電子的データ処理装置によって実行される、請求項１４、１８又は１９に記載の非一時的記憶媒体。
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
組織に印加されたエネルギーの影響下にある前記組織の特性の変化をレンダリングする視覚化装置であって、
特性が変化した組織の領域と、特性が変化しない組織の領域との間の界面の位置を導出するように、組織内の異なる位置における組織の特性を示す超音波測定から得られた測定信号を処理するように構成された信号プロセッサと、
界面の位置を示す表示をレンダリングするように構成されたレンダリング装置とを有し、
表示の２つの端部は組織の厚さを確定する２つの境界を示し、２つの端部の間の位置は界面の位置を示し、
組織境界を表す２つの端部が一致し、組織の厚さを確定する２つの境界間の距離が円、リングまたは楕円としてレンダリングされ、
界面は特性が変化した組織と特性が変化しない組織との間の分離を表す、
視覚化装置。
【請求項２】
前記レンダリング装置は、組織の特性が変化した領域を、特性が変化しない領域とは異なる視覚的アスペクトでレンダリングするように構成されている、
請求項１に記載の視覚化装置。
【請求項３】
組織の特性は、速度、速度勾配、及び歪み率よりなる群から選択された物理量である、
請求項２に記載の視覚化装置。
【請求項４】
界面の位置の導出は、特性の平均、中央値、最小値、最大値、絶対値または標準偏差に基づく、
請求項３に記載の視覚化装置。
【請求項５】
特性が変化した領域と、特性が変化しない領域との異なる視覚的アスペクトによるレンダリングは、組織の２つの領域の物理量の１０％ないし３０％の範囲の差に関連する、
請求項４に記載の視覚化装置。
【請求項６】
請求項１に記載の視覚化装置により実行される視覚化方法であって、
表示の２つの端部は心臓内の組織の厚みを確定する２つの境界を示す、
視覚化方法。
【請求項７】
超音波測定装置と、請求項１に記載の視覚化装置とを有する測定システム。
【請求項８】
組織にエネルギーを印加するエネルギー印加装置に接続されたエネルギー源と、
請求項７に記載の測定システムとを有する、
システム。
【請求項９】
プログラム制御されたプロセッサと、
超音波画像、組織速度画像、または歪み率画像から、レンダリングされた表示の２つの端部を表す、組織の２つの境界の選択をできるように構成された、前記プロセッサのコンピュータプログラムとを有する、
請求項８に記載のシステム。
【請求項１０】
前記エネルギー印加装置は、超音波、無線周波数電流、無線周波、マイクロ波、又はレーザ放射から選択されたモダリティの一つにより、組織にエネルギーを印加するように構成されている、請求項８に記載のシステム。
【請求項１１】
特性が変化していない組織に対応する第１の視覚的アスペクトが無くなり、組織内の特性が変化した領域に対応する第２の視覚的アスペクトが、レンダリングされた表示の２つの端部の間の間隔全体をカバーするとの検出に応じて、エネルギー源からエネルギー印加装置へのエネルギー伝達を停止するように構成される、
請求項８に記載のシステム。
【請求項１２】
特性が変化していない組織に対応する第１の視覚的アスペクトが減り、組織内の特性が変化した領域に対応する第２の視覚的アスペクトが、レンダリングされた表示の下端に接近したとの検出に応じて、エネルギー源からエネルギー印加装置に伝達されるエネルギー量を低減するように構成される、請求項８に記載のシステム。
【誤訳訂正書】
【提出日】平成29年2月2日(2017.2.2)
【誤訳訂正１】
【訂正対象書類名】明細書
【訂正対象項目名】００１１
【訂正方法】変更
【訂正の内容】
【００１１】
従って、本発明はカルボン酸エポキシエチル又はカルボン酸グリシジルを製造する方法であって、
水性反応媒体中で酸化剤及び水溶性マンガン錯体を用いてカルボン酸ビニル又はカルボン酸アリルを反応させることを含み、前記水溶性マンガン錯体は、酸化触媒を構成し、前記水溶性マンガン錯体が、
一般式（Ｉ）：
［ＬＭｎＸ３］Ｙ（Ｉ）
の単核化学種又は一般式（ＩＩ）：
［ＬＭｎ（μ−Ｘ）３ＭｎＬ］Ｙｎ（ＩＩ）
の二核化学種
〔Ｍｎは、マンガンであり；Ｌは、配位子であり、及び、各Ｌは、独立して、多座配位子であり；各Ｘは、独立して、配位化学種であり、及び、各μ−Ｘは、独立して、配位架橋化学種であり；Ｙは、非配位対イオンである〕であることを特徴とし、また、エポキシ化は、１．０から７．０の範囲内のｐＨで実施される方法を提供する。
【誤訳訂正２】
【訂正対象書類名】明細書
【訂正対象項目名】００５７
【訂正方法】変更
【訂正の内容】
【００５７】
実施例２Ｂ
４０グラムの２−エチルブタン酸アリルの接触エポキシ化を、実施例２と同様に実施した。グリシジルエステルへの変換は、５０ｍｍｏｌである。グリシジルエステルに対する選択性は、変換された総アリルエステルに基づいて、８３ｍｏｌ％である。エポキシドに対するターンオーバー数は、２２００である。
【誤訳訂正３】
【訂正対象書類名】明細書
【訂正対象項目名】００５８
【訂正方法】変更
【訂正の内容】
【００５８】
実施例２Ｃ
１００グラムのＶｅｏＶａＴＭ１０の接触エポキシ化を、実施例２と同様に実施した。水相に、Ｔｒｉｔｏｎ  Ｘ−１００を０．５重量％の濃度で添加した。少量成分（Ｈ２Ｏ２）に基づいたエポキシドの収量は、５．３ｍｍｏｌである。エポキシエチルエステルに対する選択性は、変換された総ビニルエステルに基づいて、５８ｍｏｌ％である。エポキシドに対するターンオーバー数は、２３０である。
【誤訳訂正４】
【訂正対象書類名】明細書
【訂正対象項目名】００６０
【訂正方法】変更
【訂正の内容】
【００６０】
実施例４：
メタクリル酸アリルの接触エポキシ化を、上記実施例２と同様にして、しかしながら、緩衝液としてのシュウ酸塩の存在下で［（ＴｍＴａｃｎ）２ＭｎＩＶ２（μ−Ｏ）３］２＋（ＰＦ６）２を用いて、実施することができる。反応後、反応器の中の水溶液を分析して、Ｈ２Ｏ２の残留レベルを求めることができる。反応器内の未反応の過酸化水素は、Ｎａ２ＳＯ３で中和することができる。次いで、有機相を、エポキシドの含有量について、２０℃での過塩素酸を用いた滴定によって分析することができる。所望の生成物に対する選択性を測定するために、ＧＣ−ＭＳ分析を用いることも可能である。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
結晶性３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド塩酸塩。
【請求項２】
実質的に純粋である、請求項１に記載の結晶性３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド塩酸塩。
【請求項３】
３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド一塩酸塩の結晶性Ａ形。
【請求項４】
前記結晶性Ａ形が９９．８１６０％純粋である、請求項３に記載の結晶性Ａ形。
【請求項５】
図４に示される粉末Ｘ線回折パターンを特徴とする、請求項３に記載の結晶性Ａ形。
【請求項６】
５．９；７．１；１０．０；１２．５；１６．４；１９．３；２１．８；２３．８；および２６．１から選ばれた少なくとも５つの２シータ（±０.３）値を含む粉末Ｘ線回折パターン特徴とする請求項３に記載の結晶性Ａ形。
【請求項７】
５．９；７．１；１０．０；１２．５；１３．６；１４．１；１５．０；１６．４；１７．７；１８．６；１９．３；２０．４；２１．８；２２．３；２３．８；２４．９；２６．１；２７．０；２８．４；３０．３；３１．７；および３５．１から選ばれた少なくとも５つの２シータ（±０.３）値を含む粉末Ｘ線回折パターン特徴とする請求項３に記載の結晶性Ａ形。
【請求項８】
前記粉末Ｘ線回折パターンが室温でＣｕＫα線を用いて得られたものである、請求項５〜７のいずれか１項に記載の結晶性Ａ形。
【請求項９】
前記実質的に純粋な結晶性Ａ形が無水である、請求項３〜７のいずれかに記載の結晶性Ａ形。
【請求項１０】
前記実質的に純粋な結晶性Ａ形が、その結晶系内に実質的にエタノールを含まない、請求項３〜７のいずれかに記載の結晶性Ａ形。
【請求項１１】
融解開始温度が約２６２℃〜約２６４℃である、請求項３に記載の結晶性Ａ形。
【請求項１２】
融解開始温度が約２６４．１℃である、請求項１１に記載の結晶性Ａ形。
【請求項１３】
前記結晶形がＢ形、Ｃ形、Ｄ形、Ｅ形、Ｆ形、Ｇ形、Ｈ形、Ｉ形、Ｊ形、及びＫ形から選ばれる、請求項１に記載の結晶性３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド一塩酸塩。
【請求項１４】
３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミドと塩酸とを接触させることを含む、３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド一塩酸塩の結晶性Ａ形を調製する方法。
【請求項１５】
治療有効量の結晶性３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド一塩酸塩と、薬学的に許容される担体、賦形剤または補形剤とを含む、医薬組成物。
【請求項１６】
前記結晶性３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド一塩酸塩が実質的に純粋である、請求項１５に記載の医薬組成物。
【請求項１７】
前記結晶性３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド一塩酸塩がＡ形である、請求項１５または１６に記載の医薬組成物。
【請求項１８】
治療を必要とする対象の慢性骨髄性白血病（ＣＭＬ）またはフィラデルフィア染色体陽性急性リンパ芽球性白血病（Ｐｈ＋ＡＬＬ）を治療する方法であって、前記対象に治療有効量の結晶性３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド一塩酸塩を投与することを含む、方法。
【請求項１９】
前記結晶性３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド一塩酸塩が実質的に純粋である、請求項１８に記載の方法。
【請求項２０】
前記結晶性３−（イミダゾ［１，２−ｂ］ピリダジン−３−イルエチニル）−４−メチル−Ｎ−｛４−［（４−メチルピペラジン−１−イル）メチル］−３−（トリフルオロメチル）フェニル｝ベンズアミド一塩酸塩がＡ形である、請求項１８または１９に記載の方法。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
酢酸を生産するための統合プロセスであって、
（ｉ）合成ガスおよびジメチルエーテルをカルボニル化反応領域に供給すること、該領域において該合成ガスおよび該ジメチルエーテルを一つのカルボニル化触媒の存在下で反応させ、酢酸メチルおよび水素が豊富な合成ガスを含む気体状のカルボニル化反応生成物を形成すること；
（ｉｉ）前記カルボニル化反応生成物を前記カルボニル化反応領域から取り出すこと、および該カルボニル化反応生成物から酢酸メチル豊富含有液体流および合成ガス流を回収すること；
（ｉｉｉ）前記カルボニル化反応生成物から回収した前記合成ガスの少なくとも一部をメタノール合成領域に移送すること、および該メタノール合成領域において前記カルボニル化反応生成物から回収した前記合成ガスの少なくとも一部を一つのメタノール合成触媒と接触させて、メタノールおよび未転化合成ガスを含むメタノール合成生成物を形成すること；
（ｉｖ）前記メタノール合成領域からメタノール合成生成物を取り出すこと、および該メタノール合成生成物からメタノール豊富含有液体流および合成ガス流を回収すること；
（ｖ）前記酢酸メチル豊富含有液体流の少なくとも一部および前記メタノール豊富含有液体流の少なくとも一部を脱水−加水分解反応領域に供給すること、および該脱水−加水分解反応領域において該メタノールと該酢酸メチルを、メタノールの脱水反応に活性を有し、且つ酢酸メチルの加水分解反応に活性を有する少なくとも一つの触媒と接触させて酢酸とジメチルエーテルを含む脱水−加水分解反応生成物を形成すること；
（ｖｉ）前記脱水−加水分解反応生成物から酢酸豊富含有生成物流とジメチルエーテル豊富含有生成物流を回収すること
を含む酢酸を生産するための統合プロセス。
【請求項２】
前記カルボニル化反応生成物から回収した前記合成ガスの少なくとも一部に、液体洗浄溶剤を擁する一つ以上の洗浄ユニットを含む洗浄領域において一つ以上の洗浄処理を施し、酢酸メチルが激減した洗浄済み合成ガスおよび吸収した酢酸メチルを含む一つ以上の液体溶剤流を生成する請求項１に記載の酢酸を生産するための統合プロセス。
【請求項３】
前記合成ガスに、一つの液体洗浄溶剤を擁する一つの洗浄ユニットにおいて複数回の洗浄処理を施す請求項２に記載の酢酸を生産するための統合プロセス。
【請求項４】
前記液体洗浄溶剤は、外部から供給されるメタノール、前記メタノール合成生成物から回収された前記メタノール豊富含有流の一部、およびそれらの混合物から選択されるものである請求項２または３に記載の酢酸を生産するための統合プロセス。
【請求項５】
前記カルボニル化反応生成物から回収された前記合成ガスが、酢酸メチルを０．１から５モル％の範囲で含む請求項１から４のいずれか一項に記載の酢酸を生産するための統合プロセス。
【請求項６】
前記カルボニル化反応生成物から回収された前記合成ガス流の少なくとも一部を前記カルボニル化反応領域にさらに再循環させる請求項１ないし５のいずれか一項に記載の酢酸を生産するための統合プロセス。
【請求項７】
前記カルボニル化反応生成物から回収された合成ガスを、主要部分と少量部分に分割し、該主要部分を前記カルボニル化反応領域に再循環させ、および該少量部分を前記メタノール合成領域に供給するに先立って洗浄する請求項１ないし６のいずれか一項に記載の酢酸を生産するための統合プロセス。
【請求項８】
前記カルボニル化合成領域に供給する（いかなる再循環をも含む）前記合成ガスは二酸化炭素を含む請求項１ないし７のいずれか一項に記載の酢酸を生産するための統合プロセス。
【請求項９】
前記カルボニル化触媒は、一つのアルミノケイ酸塩ゼオライトであって、該アルミノケイ酸塩ゼオライトは一つの８員環によって規定される少なくとも一つのチャネルを有する請求項１ないし８のいずれか一項に記載の酢酸を生産するための統合プロセス。
【請求項１０】
前記合成ガスおよびジメチルエーテルを、前記カルボニル化反応領域内において、２５０℃から３５０℃の範囲内の温度および５０から１００ｂａｒｇ（５０００ｋＰａから１０，０００ｋＰａ）の範囲内の全圧力の条件下で反応させる請求項１ないし９のいずれか一項に記載の酢酸を生産するための統合プロセス。
【請求項１１】
前記メタノール合成生成物から回収された合成ガス流の少なくとも一部を前記メタノール合成領域に再循環させる請求項１ないし１０のいずれか一項に記載の酢酸を生産するための統合プロセス。
【請求項１２】
メタノールは、前記メタノール合成領域から取り出された前記メタノール合成生成物、前記メタノール合成生成物から回収された前記メタノール豊富含有液体流、および前記カルボニル化反応生成物から回収された合成ガスの洗浄により得られたメタノールを含む液体溶剤流の一つ以上から回収されるものである請求項１ないし１１のいずれか一項に記載の酢酸を生産するための統合プロセス。
【請求項１３】
前記脱水−加水分解反応領域内の前記触媒は、ヘテロポリ酸およびそれらの塩、ポリマー樹脂およびゼオライトの一つ以上から選択される請求項１ないし１２のいずれか一項に記載の酢酸を生産するための統合プロセス。
【請求項１４】
水が、前記脱水−加水分解反応領域に供給される酢酸メチル、メタノールおよび水の全供給物に基づいて、０．１から５０モル％内の量だけ前記脱水−加水分解反応領域に導入される請求項１ないし１３のいずれか一項に記載の酢酸を生産するための統合プロセス。
【請求項１５】
メタノールおよび酢酸メチルが、前記脱水−加水分解反応領域の中で前記触媒と液相あるいは気相状態で接触される請求項１ないし１４のいずれか一項に記載の酢酸を生産するための統合プロセス。
【請求項１６】
前記プロセスが一つの連続したプロセスとして操業される請求項１ないし１５のいずれか一項に記載の酢酸を生産するための統合プロセス。
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
下記工程ａ〜ｃを含むディスプレイ用素子、光学用素子、又は照明用素子の製造方法に用いるための、ポリアミド溶液であって、
ａ）当該ポリアミド溶液を支持材へ塗布する工程、
ｂ）前記塗布工程（ａ）後に、ポリアミドフィルムを前記支持材上に形成する工程、および
ｃ）ディスプレイ用素子、光学用素子、又は照明用素子を前記ポリアミドフィルムの表面上に形成する工程、
ここで、前記支持材又は前記支持材の表面はガラス又はシリコンウエハーであり、
当該ポリアミド溶液が、芳香族ポリアミド、シランカップリング剤及び溶媒を含む、ポリアミド溶液。
【請求項２】
前記シランカップリング剤が、アミノ基及び／又はエポキシ基を有する、請求項１に記載のポリアミド溶液。
【請求項３】
前記シランカップリング剤が、メトキシ基及び／又はエトキシ基を有する、請求項１または２に記載のポリアミド溶液。
【請求項４】
前記芳香族ポリアミドが下記一般式（Ｉ）及び（ＩＩ）で表される繰り返し単位を有する芳香族ポリアミドから形成されたものである、請求項１から３のいずれかに記載のポリアミド溶液。
【化１】
2016503075.tif 000001
［式（Ｉ）及び（ＩＩ）において、ｘは繰り返し単位（Ｉ）のモル％を示し、ｙは繰り返し単位（ＩＩ）のモル％を示し、ｘは９０〜１００であり、ｙは１０〜０であり、
ｎは１〜４であり、
Ａｒ1は
【化２】
2016503075.tif 000002
からなる群から選択され（ここで、ｐ＝４、ｑ＝３であり、Ｒ1、Ｒ2、Ｒ3、Ｒ4、Ｒ5は水素、ハロゲン（フッ化物、塩化物、臭化物、及びヨウ化物）、アルキル、ハロゲン化アルキル等の置換アルキル、ニトロ、シアノ、チオアルキル、アルコキシ、ハロゲン化アルコキシ等の置換アルコキシ、アリール又はハロゲン化アリール等の置換アリール、アルキルエステル、及び置換アルキルエステル、並びにその組み合せからなる群から選択され、Ｇ1は共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（ＣＨ3）2基、９，９−フルオレン基、置換９，９−フルオレン、及びＯＺＯ基からなる群から選択され、Ｚはフェニル基、ビフェニル基、パーフルオロビフェニル基、９，９−ビスフェニルフルオレン基、及び置換９，９−ビスフェニルフルオレン等のアリール基又は置換アリール基である。）、
Ａｒ2は
【化３】
2016503075.tif 000003
からなる群から選択され（ここで、ｐ＝４であり、Ｒ6、Ｒ7、Ｒ8は水素、ハロゲン（フッ化物、塩化物、臭化物、及びヨウ化物）、アルキル、ハロゲン化アルキル等の置換アルキル、ニトロ、シアノ、チオアルキル、アルコキシ、ハロゲン化アルコキシ等の置換アルコキシ、アリール、ハロゲン化アリール等の置換アリール、アルキルエステル、及び置換アルキルエステル、並びにその組み合せからなる群から選択され、Ｇ2は共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（ＣＨ3）2基、９，９−フルオレン基、置換９，９−フルオレン、及びＯＺＯ基からなる群から選択され、Ｚはフェニル基、ビフェニル基、パーフルオロビフェニル基、９，９−ビスフェニルフルオレン基、及び置換９，９−ビスフェニルフルオレン等のアリール基又は置換アリール基である。）、
Ａｒ3は、
【化４】
2016503075.tif 000004
からなる群から選択される（ここで、ｔ＝２又は３であり、Ｒ9、Ｒ10、Ｒ11は水素、ハロゲン（フッ化物、塩化物、臭化物、及びヨウ化物）、アルキル、ハロゲン化アルキル等の置換アルキル、ニトロ、シアノ、チオアルキル、アルコキシ、ハロゲン化アルコキシ等の置換アルコキシ、アリール、ハロゲン化アリール等の置換アリール、アルキルエステル、及び置換アルキルエステル、並びにその組み合せからなる群から選択され、Ｇ3は共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（ＣＨ3）2基、９，９−フルオレン基、置換９，９−フルオレン、及びＯＺＯ基からなる群から選択され、Ｚは、フェニル基、ビフェニル基、パーフルオロビフェニル基、９，９−ビスフェニルフルオレン基、及び置換９，９−ビスフェニルフルオレン等のアリール基又は置換アリール基である。）］
【請求項５】
式（Ｉ）及び（ＩＩ）が、前記芳香族ポリアミドが極性溶媒又は１つ以上の極性溶媒を含む混合溶媒に溶解するように選択される、請求項４に記載のポリアミド溶液。
【請求項６】
繰り返し単位（Ｉ）のｘは９０〜１００モル％であり、繰り返し単位（ＩＩ）のｙは１０〜０モル％である、請求項４又は５に記載のポリアミド溶液。
【請求項７】
前記芳香族ポリアミドが、構造（Ｉ）及び（ＩＩ）の繰り返し単位を複数含み、Ａｒ1、Ａｒ2、及びＡｒ3は同一又は異なる、請求項４から６のいずれかに記載のポリアミド溶液。
【請求項８】
請求項１から７のいずれかに記載のポリアミド溶液を支持材へ塗布し、前記支持材上にポリアミドフィルムを形成する工程、ここで、前記支持材又は前記支持材の表面はガラス又はシリコンウエハーである、および
ディスプレイ用素子、光学用素子、又は照明用素子を前記ポリアミドフィルムの表面上に形成する工程、を含む、ディスプレイ用素子、光学用素子、又は照明用素子の製造方法。
【請求項９】
更に、支持材上に形成された前記ディスプレイ用素子、前記光学用素子、又は前記照明用素子を前記支持材から剥離する工程を含む、請求項８に記載のディスプレイ用素子、光学用素子、又は照明用素子の製造方法。
【請求項１０】
請求項１から７のいずれかに記載のポリアミド溶液を支持材上にキャストしてなるポリアミドフィルム。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
以下の式（Ｉ）：
2016503064.tif 000001
（式中、
Ｒ１、Ｒ２、Ｒ３、Ｒ４、Ｒ５、及びＲ６が独立して、Ｈ、Ｃ１−Ｃ６アルキル、Ｃ３−Ｃ８シクロアルキル、Ｃ３−Ｃ８シクロアルキル（Ｃ１−Ｃ６アルキル）、アリール、アリール（Ｃ１−Ｃ６アルキル）、ヘテロアリール、及びヘテロアリール（Ｃ１−Ｃ６アルキル）から選択され、
Ｘが、Ｃ２−Ｃ２０アルキレン、Ｃ２−Ｃ２０ヘテロアルキレン、Ｃ２−Ｃ２０アルケニレン、Ｃ２−Ｃ２０アルキニレン、Ｃ３−Ｃ８シクロアルキル、アリール、及び−Ｙ−Ｚ−Ｙ−から選択され、
各Ｙが独立して、Ｃ１−Ｃ１０アルキレンまたはＣ２−Ｃ１０ヘテロアルキレンであり、Ｚが、アリール、ヘテロアリール、またはヘテロシクリルである）
の化合物の生成方法であって、
該方法は、以下の式（ＩＩ）：
2016503064.tif 000002
（式中、Ｒ１、Ｒ２、Ｒ３、Ｒ４、Ｒ５、Ｒ６、及びＸが、上に定義された通りである）
の化合物を、溶媒中で、かつ、ａ）触媒、ｂ）１つ以上のＯＨ基で置換されていてもよい少なくとも約０．１モル当量のニトロ（Ｃ１−Ｃ１０アルカン）、及びｃ）少なくとも約０．１モル当量のホルムアルデヒドの存在下で、Ｈ２と反応させる段階を含む、前記方法。
【請求項２】
反応段階が、ｄ）塩基アミンの存在下においてである、請求項１に記載の方法。
【請求項３】
前記触媒が、ニッケル系または白金系である、請求項１または２に記載の方法。
【請求項４】
ニトロ（Ｃ１−Ｃ１０アルカン）が、２−ニトロプロパン、２−メチル−２−ニトロ−１−プロパノール、または２−メチル−２−ニトロ−１，３−プロパンジオールである、請求項１〜３のいずれか一項に記載の方法。
【請求項５】
ニトロ（Ｃ１−Ｃ１０アルカン）が、２−ニトロプロパンまたは２−メチル−２−ニトロ−１−プロパノールである、請求項４に記載の方法。
【請求項６】
ニトロ（Ｃ１−Ｃ１０アルカン）が、約０．１〜約２モル当量で存在する、請求項１〜５のいずれか一項に記載の方法。
【請求項７】
ホルムアルデヒドが、約０．０５〜約２モル当量で存在する、請求項１〜６のいずれか一項に記載の方法。
【請求項８】
Ｒ１、Ｒ２、Ｒ３、Ｒ４、Ｒ５、及びＲ６が独立して、Ｈ及びＣ１−Ｃ６アルキルから選択される、請求項１〜７のいずれか一項に記載の方法。
【請求項９】
Ｘが、Ｃ２−Ｃ２０アルキレンまたはＣ２−Ｃ２０ヘテロアルキレンである、請求項１〜８のいずれか一項に記載の方法。
【請求項１０】
前記式（Ｉ）の化合物が、
2016503064.tif 000003
である、請求項１に記載の方法。
【手続補正２】
【補正対象書類名】明細書
【補正対象項目名】０００６
【補正方法】変更
【補正の内容】
【０００６】
本開示の別の態様（実施形態２）は、以下の式の化合物の生成方法を提供し、
2016503064.tif 000004
式中、
Ｒ１、Ｒ２、Ｒ３、Ｒ４、Ｒ５、及びＲ６が独立して、Ｈ、Ｃ１−Ｃ６アルキル、Ｃ３−Ｃ８シクロアルキル、Ｃ３−Ｃ８シクロアルキル（Ｃ１−Ｃ６アルキル）、アリール、アリール（Ｃ１−Ｃ６アルキル）、ヘテロアリール、及びヘテロアリール（Ｃ１−Ｃ６アルキル）から選択され、
Ｘが、Ｃ２−Ｃ２０アルキレン、Ｃ２−Ｃ２０ヘテロアルキレン、Ｃ２−Ｃ２０アルケニレン、Ｃ２−Ｃ２０アルキニレン、Ｃ３−Ｃ８シクロアルキル、アリール、及び−Ｙ−Ｚ−Ｙ−から選択され、
各Ｙが独立して、Ｃ１−Ｃ１０アルキレンまたはＣ２−Ｃ１０ヘテロアルキレンであり、Ｚが、アリール、ヘテロアリール、またはヘテロシクリルであり、
本方法は、以下の式の化合物であって、
2016503064.tif 000005
式中、Ｒ１、Ｒ２、Ｒ３、Ｒ４、Ｒ５、Ｒ６、及びＸが、上に定義された通りである、化合物と、
触媒の存在下で、水素ガスと反応させることを含み、
改善は、ａ）１つ以上のＯＨ基で任意選択的に置換された少なくとも約０．１モル当量のニトロ（Ｃ１−Ｃ１０アルカン）、及びｂ）少なくとも約０．１モル当量のホルムアルデヒドの存在下で反応を行うことを含む。
[本発明1001]
以下の式
2016503064.tif 000006
式中、
Ｒ1、Ｒ2、Ｒ3、Ｒ4、Ｒ5、及びＲ6が独立して、Ｈ、Ｃ1−Ｃ6アルキル、Ｃ3−Ｃ8シクロアルキル、Ｃ3−Ｃ8シクロアルキル（Ｃ1−Ｃ6アルキル）、アリール、アリール（Ｃ1−Ｃ6アルキル）、ヘテロアリール、及びヘテロアリール（Ｃ1−Ｃ6アルキル）から選択され、
Ｘが、Ｃ2−Ｃ20アルキレン、Ｃ2−Ｃ20ヘテロアルキレン、Ｃ2−Ｃ20アルケニレン、Ｃ2−Ｃ20アルキニレン、Ｃ3−Ｃ8シクロアルキル、アリール、及び−Ｙ−Ｚ−Ｙ−から選択され、
各Ｙが独立して、Ｃ1−Ｃ10アルキレンまたはＣ2−Ｃ10ヘテロアルキレンであり、Ｚが、アリール、ヘテロアリール、またはヘテロシクリルである、
上記式の化合物の生成方法であって、
該方法は、以下の式中、Ｒ1、Ｒ2、Ｒ3、Ｒ4、Ｒ5、Ｒ6、及びＸが、上に定義された通りである、以下の式
2016503064.tif 000007
の化合物を、溶媒中で、かつ、ａ）触媒、ｂ）1つ以上のＯＨ基で任意選択的に置換されていてもよい少なくとも約0．1モル当量のニトロ（Ｃ1−Ｃ10アルカン）、及びｃ）少なくとも約0．1モル当量のホルムアルデヒドの存在下で、Ｈ2と反応させる段階を含む、前記方法。
[本発明1002]
反応段階が、任意選択的にｄ）約0．0005〜約0．2モル当量のトリエチルアミンの存在下においてである、本発明1001の方法。
[本発明1003]
前記触媒が、ラネーニッケルである、本発明1001または1002の方法。
[本発明1004]
ニトロ（Ｃ1−Ｃ10アルカン）が、2−ニトロプロパン、2−メチル−2−ニトロ−1−プロパノール、または2−メチル−2−ニトロ−1，3−プロパンジオールである、本発明1001〜1003のいずれかの方法。
[本発明1005]
ニトロ（Ｃ1−Ｃ10アルカン）が、2−ニトロプロパンである、本発明1004の方法。
[本発明1006]
ニトロ（Ｃ1−Ｃ10アルカン）が、約0．5モル当量で存在する、本発明1001〜1005のいずれかの方法。
[本発明1007]
ホルムアルデヒドが、約0．5モル当量で存在する、本発明1001〜1006のいずれかの方法。
[本発明1008]
Ｒ1、Ｒ2、Ｒ3、Ｒ4、Ｒ5、及びＲ6が独立して、Ｈ及びＣ1−Ｃ6アルキルから選択される、本発明1001〜1007のいずれかの方法。
[本発明1009]
Ｘが、Ｃ2−Ｃ20アルキレンまたはＣ2−Ｃ20ヘテロアルキレンである、本発明1001〜1008のいずれかの方法。
[本発明1010]
前記化合物が、
2016503064.tif 000008
である、本発明1001の方法。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
以下の式で表される化合物。
【化１】
2016503093.tif 000001
［式中、
Ｒ１が、Ｈ、アルキル基、アリール基、及びこれらの組み合わせから選択され、
Ｒ２が、Ｒｆ−Ｙ−（ＣＨ２）ｘ−であり、
Ｒ３が、反応性基であり、
Ｒｆが、パーフルオロアルキル基であり、
Ｙが、結合、−Ｓ（Ｏ）２−Ｎ（ＣＨ３）−、−Ｓ（Ｏ）２−Ｎ（ＣＨ２ＣＨ３）−、−Ｓ（Ｏ）２−Ｏ−、−Ｓ（Ｏ）２−、−Ｃ（Ｏ）−、−Ｃ（Ｏ）−Ｓ−、−Ｃ（Ｏ）−Ｏ−、−Ｃ（Ｏ）−ＮＨ−、−Ｃ（Ｏ）−Ｎ（ＣＨ３）−、−Ｃ（Ｏ）−Ｎ（ＣＨ２ＣＨ３）−、−（ＣＨ２ＣＨ２Ｏ）ｙ−、−Ｏ−、及び−Ｏ−Ｃ（Ｏ）−ＣＨ＝ＣＨ−Ｃ（Ｏ）−Ｏ−から選択され、
ｎが、１０を超える整数であり、
ｘが、２〜２０の整数であり、
ｙが、少なくとも１の整数である。］
【請求項２】
以下の式で表される化合物。
【化２】
2016503093.tif 000002
［式中、
Ｒ１が、Ｈ、アルキル基、アリール基、及びこれらの組み合わせから選択され、
Ｒ２が、Ｒｆ−Ｙ−（ＣＨ２）ｘ−であり、
Ｒ３が、ビニル基、ビニルエーテル基、（メタ）アクリロイルオキシ基、（メタ）アクリロイルアミノ基、トリアルコキシシリルアルキルチオ基、及びトリアルコキシシリルアルキルアミノ基から選択され、
Ｒｆが、パーフルオロ（Ｃ１〜Ｃ５）アルキル基であり、
Ｙが、結合、−Ｓ（Ｏ）２−Ｎ（ＣＨ３）−、−Ｃ（Ｏ）−ＮＨ−、及び−（ＣＨ２ＣＨ２Ｏ）ｙ−から選択され、
ｎが、２０〜１００の整数であり、
ｘが、２〜２０の整数であり、
ｙが、１〜２０の整数である。］